(57)【要約】      （修正有）【課題】ユーザの思い通りに模ることができる手芸資材及び手芸資材を用いて作製される工芸品を提供する。【解決手段】手芸資材１は、絹又は人工絹製のうすぎぬ１１と、うすぎぬの一面に重ねて接着されている幾何学模様状に凹凸加工が施された紙製シート１２とを備える。軽量且つ適度な固さを実現し、紙製シートが接着剤と共に使用されることで、手芸資材及び布地に施された湾曲形状、フリル、しぼ等の立体形状が維持される。ワイヤーを使わない手芸資材は軽量であるから、自重による変形も抑制される。【選択図】図１
0003224903.tif 000002
【実用新案登録請求の範囲】
【請求項１】
絹又は人工絹製のうすぎぬと、
該うすぎぬの一面に重ねて接着されている幾何学模様状に凹凸加工が施された紙製シートと
を備える手芸資材。
【請求項２】
前記幾何学模様は、算木崩し、又は網代模様を含む
請求項１に記載の手芸資材。
【請求項３】
前記紙製シート上にワイヤーを挟んで更に布地が貼着されており、リーフ状又は花弁状に模られている
請求項１又は２に記載の手芸資材。
【請求項４】
請求項１から請求項３のいずれかに記載の手芸資材を含む工芸品であり、コサージュ、アートフラワー、又は、人形である工芸品。
【考案の詳細な説明】
【技術分野】
【０００１】
本考案は、ユーザの思い通りに模ることができる手芸資材及び手芸資材を用いて作成される工芸品に関する。
【背景技術】
【０００２】
従来、アートフラワー又は布を用いた人形などの工芸品を作る場合、ユーザは、複数枚の布を接着させた手芸資材を用いて湾曲形状を形成させたり、手芸資材にコテで熱を加えて凹みを付けたりして、思い通りに模る手法を採用している。手芸資材は、布地に接着芯を重ねたり、１枚の布地に接着剤を塗布させたり、糊付けさせたりして構成されている物が多い。
【０００３】
特許文献１には、１枚の布地を糊付けして固めた規定布を手芸資材として用い、規定布を折り紙のように折りたたんでから裁断してアートフラワーを作製する方法が開示されている。
【先行技術文献】
【特許文献】
【０００４】
【特許文献１】実開平０５−０９６０２１号公報
【考案の概要】
【考案が解決しようとする課題】
【０００５】
布のみで構成される手芸資材を用いた工芸品の作製手法では、ユーザの思い通りの形状を保つことが難しく、ワイヤーで保形したり、形成した湾曲形状を維持するために詰め物を入れたりする必要があった。ワイヤーによってユーザの思い通りの形状を維持することができるが、工芸品全体として重量が増す。より軽量に、ユーザの思い通りの形状を模ることができる手芸用の資材が求められている。
【０００６】
本考案は斯かる事情に鑑みてなされたものであり、ユーザの思い通りに模ることができる手芸資材及び手芸資材を用いて作製される工芸品を提供することを目的とする。
【課題を解決するための手段】
【０００７】
本開示の一実施形態の手芸資材は、絹又は人工絹製のうすぎぬと、該うすぎぬの一面に重ねて接着されている幾何学模様状に凹凸加工が施された紙製シートとを備える。
【０００８】
前記幾何学模様は、算木崩し、又は網代模様を含んでいてもよい。
【０００９】
前記手芸資材は、前記紙製シート上にワイヤーを挟んで更に布地が貼着されており、リーフ状又は花弁状に模られていてもよい。
【００１０】
本開示の一実施形態の工芸品は、上述の手芸資材のいずれかを含み、コサージュ、アートフラワー、又は、人形である。
【考案の効果】
【００１１】
本考案によれば、ユーザの思い通りに模ることができる手芸資材及び手芸資材を用いた工芸品が提供される。
【図面の簡単な説明】
【００１２】
【図１】本開示の手芸資材の概要図である。
【図２】算木崩し模様を示す図である。
【図３】網代模様を示す図である。
【図４】手芸資材を用いた手芸副資材の一例を示す図である。
【図５】手芸資材を用いた手芸副資材の他の一例を示す図である。
【図６】手芸資材を用いた工芸品の一例を示す。
【図７】手芸資材を用いた工芸品の他の一例を示す。
【考案を実施するための形態】
【００１３】
本開示をその実施の形態を示す図面を参照して具体的に説明する。
【００１４】
図１は、本開示の手芸資材１の概要図である。手芸資材１は、うすぎぬ１１と、幾何学模様状に凹凸加工が施された紙製シート１２とを重ねて接着して構成されている。図１の概要図は、紙製シート１２の一部を破断して示している。
【００１５】
うすぎぬ１１は、より薄く且つ丈夫な布地である。うすぎぬ１１は、手で裂くことができる性質の布地であることが好ましい。このような性質の布地として、うすぎぬ１１には、絹又は人工絹を用いるとよい。うすぎぬ１１はより好ましくは人工絹であるキュプラ製である。うすぎぬ１１は、アートフラワーの分野で用いられる所謂「うすぎぬ」であり、絹又は人工絹以外の布地であってもよい。
【００１６】
紙製シート１２は、うすぎぬ１１及び染色対象の布地と重ねて使用するために、ハンドリングし易いように軟らかいものがよい。紙製シート１２は、後述するように、ユーザがコテで凹み又はしぼを形成しやすいように、程よい厚みに凹凸加工がされているものが好ましい。考案者は、入手が容易な種々の紙製シートによって試行錯誤した結果、図２又は図３に示した幾何学模様状に凹凸加工されたペーパーナプキンが適材であることを見出した。
【００１７】
考案者は、紙製シート１２の幾何学模様として、図２に示す算木崩し模様（三崩し、四崩し、五崩し等）、又は、図３に示す網代模様と呼ばれる模様が好ましいことを見出した。紙製シート１２には、交差した縞模様上の凹凸加工が、シートの略全面に亘って分布しているものが望ましい。凹凸加工がされていることにより、手芸資材１に適度な厚みと柔らかさをもたらす。
【００１８】
手芸資材１は、うすぎぬ１１の一面に全体的に布用の接着剤を塗布し、紙製シート１２を重ねて接着して形成される。手芸資材１は、所定の大きさ及び形状に裁断されて使用される。所定の形状は、流通し易い矩形状が望ましい。手芸資材１は、予めリーフ状又は花弁状であってもよい。
【００１９】
うすぎぬ１１及び紙製シート１２のセットでユーザに提供されてもよい。ユーザは、ユーザは、うすぎぬ１１及び紙製シート１２を重ねて接着して手芸資材１を作製し、接着剤が乾燥する前にカーブ、しぼ、皺若しくはフリルを形成することも可能である。
【００２０】
図４は、手芸資材１を用いた手芸副資材２の一例を示す図である。図示の手芸副資材２は、手芸資材１の紙製シート１２側の面に、ワイヤー２１を挟んで更に布地２２を接着剤で貼着して構成されている。布地２２の素材は、ユーザの好みで選択される。布地２２は例えば、うすぎぬ１１と同様のキュプラ製で、染色済みである。手芸副資材２は、手芸資材１、及び布地２２を共にして、リーフ状に裁断されており、ワイヤー２１を茎に見立て、葉脈に対応するようにコテによって凹みが付けられている。凹凸加工された紙製シート１２の存在によって、コテでつけられた凹みが保形されやすく、ユーザのイメージ通りの形状をより長い間保つことができる。
【００２１】
図５は、手芸資材１を用いた手芸副資材２の他の一例を示す図である。図示の手芸副資材２は、手芸資材１の紙製シート１２側の面に、更に布地２３が接着されて構成されている。布地２３の素材は、ユーザの好みで選択される。布地２３は例えば、綿のサテン織である。図５に示す手芸副資材２は、手芸資材１のうすぎぬ１１と紙製シート１２との間、及び、手芸資材１と布地２３との間の接着剤が完全に乾燥するよりも前に、湾曲形状に成形することができ、また、表面の適宜位置に「しぼ」を形成することができる。凹凸加工された紙製シート１２が、うすぎぬ１１及び布地２３の間に挟まっていることにより、ワイヤーを用いることなしに、ユーザの思い通りの形状やしぼ、フリルを維持することができる。図５の手芸副資材２は、接着剤が乾燥した後に塗料で色付けが可能である。
【００２２】
このように、紙製シート１２がうすぎぬ１１と合わさって使用されていることによって、軽量且つ適度な固さを実現する。紙製シート１２が接着剤と共に使用されることで、手芸資材１及び布地２２，２３に施された湾曲形状、フリル、しぼ等の立体形状が維持される。ワイヤーを使わない手芸資材１は軽量であるから、自重による変形も抑制される。これにより、ユーザは、自在に形状を模ることができる。
【００２３】
図６は、手芸資材１を用いた工芸品３の一例を示す。工芸品３はアートフラワーである。図６に示す工芸品３は、手芸資材１に布地２３を接着して自然な花弁のような湾曲形状に成形し、「しぼ」やフリルを形成した手芸副資材２を複数重ね、色付けして作製されている。工芸品３は、コサージュである他の工芸品の部分として使用されてもよいし、図７に示す人形である他の工芸品の装飾に用いられてもよい。図６に示す工芸品３は、手芸資材１を用いて、軽く且つ丈夫で、ふんわりとした形状の花弁に仕上げられている。
【００２４】
図７は、手芸資材１を用いた工芸品４の他の一例を示す。工芸品４は、人形である。工芸品４では、手芸資材１の紙製シート１２側の面に、更に布地２４が接着剤によって接着された素材が用いられている。手芸資材１のうすぎぬ１１及と紙製シート１２との間、及び、手芸資材１と布地２４との間の接着剤が完全に乾燥するよりも前に湾曲形状を成形して使用されている。これにより、ふんわりさせたスカート部分又は洋服の袖部分が作製されている。工芸品４は、手芸資材１を用いてふんわりとさせたスカート部分に、手芸資材１を用いないオーガンジーやレースなどの布を重ねて使用している。手芸資材１によって、ユーザの思い通りのふんわりとした形状を維持させることができる。また、工芸品４では、スカートのふんわり感を出すためのワイヤーを使用する必要が無いので、工芸品４の全体としての重量を軽量化することも可能である。
【００２５】
上述のように開示された実施の形態は全ての点で例示であって、制限的なものではない。本実用新案登録請求の範囲は、本実用新案登録請求の範囲によって示され、本実用新案登録請求の範囲と均等の意味及び範囲内での全ての変更が含まれる。
【符号の説明】
【００２６】
１  手芸資材
１１  うすぎぬ
１２  紙製シート
２  手芸副資材
３  工芸品
【図１】
0003224903.tif 000003
【図２】
0003224903.tif 000004
【図３】
0003224903.tif 000005
【図４】
0003224903.tif 000006
【図５】
0003224903.tif 000007
【図６】
0003224903.tif 000008
【図７】
0003224903.tif 000009